(57)【特許請求の範囲】
【請求項１】
支柱の任意箇所に籠型で方形の棚材が固定された陳列棚の棚材周縁支持部材であって、
板状体を屈曲し隅部を面取した略方形中空断面形状の筒状体を形成し、該筒状体の背面側を略中央から下方の面取部を含む部分を長手方向に開口し、該開口部の背面側開口端部を内側に曲折して周縁支持部材を形成し、該周縁支持部材の開口部に棚材を接合すると共に、前記周縁支持部材の両端中空部に、前記支柱に固定する棚材位置固定具を着脱自在に連結して成ることを特徴とする陳列棚材用周縁支持部材。
【請求項２】
支柱に複数の棚材が固定された陳列棚材用周縁支持部材の陳列棚材用掲示部材であって、
板体を屈曲し隅部が面取りされた略方形中空断面形状の筒状体に形成し、該筒状体の背面側を略中央から下方の面取部を含む部分を長手方向に開口し、該開口部の背面側開口端部を内側に曲折してした周縁支持部材と、
先端面が該周縁支持部材の前面に接して折返される共に、前記周縁支持部材の前面から上面及び背面を覆って延伸させ、端部が該背面の開口端で掛止されている弾性部材と、該弾性部材が前記周縁支持部材に掛止状態にて長手方向に摺動可能に装着されているることを特徴とする陳列棚材用周縁支持部材の掲示部材。
【請求項３】
支柱に複数の棚材が固定された陳列棚材用周縁支持部材の陳列棚材用掲示部材であって、
板体を屈曲し隅部が面取りされた略方形中空断面形状の筒状体に形成し、該筒状体の背面側を略中央から下方の面取部を含む部分を長手方向に開口し、該開口部の背面側開口端部を内側に曲折してした周縁支持部材と、
前記周縁支持部材の前面から上面及び背面を覆って延伸させ、端部が該前面の溝と該背面の開口端で掛止されている装着部材と、該装着部材の上面から背面に断面コ字上に形成されている補強部材と、
該補強部材の上面に支持棒を立設させ、該支持棒の上部に配設した衝立板とからなり、
前記衝立板を立設した補強部材を前記装着部材を介して、前記周縁支持部材に装着したことを特徴とする陳列棚材用周縁支持部材の掲示部材。
【発明の詳細な説明】
【０００１】
【発明の属する技術分野】
本発明は、支柱を介して複数の棚材が配設されている商品等の陳列棚材用周縁支持部材、並びに陳列棚材用周縁支持部材に掛止する掲示部材に関する。
【０００２】
【従来の技術】
従来から、可動物品などの商品を陳列するための陳列棚は、図１０に示すように、長方形で、格子状に組まれた籠形の棚材３０の隅部を、棚材位置固定具８を介して、ポールを立設した支柱１１，１１，１１，１１に、複数段支持さた構造のものが知られている。また、この棚材３０には商品の種類や陳列の状況に対応した各種形状のものがあり、それぞれは全体が網状或いは格子状に形成され、４隅又は２隅を棚材位置固定具８が一体に配設されている。
【０００３】
【発明が解決しようとする課題】
しかしながら、前記従来の商品等の陳列用棚は、棚材や棚材位置固定具８が一体に形成されており、比較的高価なものとなっている。各種形状の棚材を設備するには設備費が嵩み高価なものとなっている。
【０００４】
また、従来の棚材の構造では、例えば支柱の中間に固定された棚材を別の種類の棚材に交換、あるいは増設するなどの場合に、その棚材から上方の棚材を一旦外さなければならないという問題があった。
【０００５】
更に、前記従来の一体形成された棚材は、当然ながら周縁支持部材部分が棚材本体と同様に網目状、格子状に一体形成されているために、棚材の外形部分に商品価格や広告等の掲示部材を装着する際に、網目を利用して掛止する方法がとられている。このため、掲示部材の装着が不安定になりやすく、かつ掲示位置の変更が煩雑であるという問題があった。
【０００６】
本発明は、前記従来の問題点に鑑みてなされたものであり、周縁支持部材を介して棚材の着脱が容易で、商品価額等の掲示部材の着脱及び位置変更が容易な陳列棚材用周縁支持部材の提供を目的とする。
【０００７】
【課題を解決するための手段】
上記目的を達成するため、本発明の陳列棚材用周縁支持部材に係る請求項１は、  支柱の任意箇所に籠型で方形の棚材が固定された陳列棚の棚材周縁支持部材であって、板状体を屈曲し隅部を面取した略方形中空断面形状の筒状体を形成し、該筒状体の背面側を略中央から下方の面取部を含む部分を長手方向に開口し、該開口部の背面側開口端部を内側に曲折して周縁支持部材を形成し、該周縁支持部材の開口部に棚材を接合すると共に、前記周縁支持部材の両端中空部に、前記支柱に固定する棚材位置固定具を着脱自在に連結して成ることを特徴とする。
【０００８】
請求項１の発明によれば、商品陳列棚用棚材の上部周囲を周縁支持部材にて形成し、網状、格子状に形成された籠部分を周縁支持部材を介して取り付ける構成にしたことにより、棚材は外形を構成する周縁支持部材部分を除いた棚材本体のみを各種形状に形成すればよいことになり棚材本体のコストを削減することができる。しかも、周縁支持部材を介して用途に合わせた各種形状の棚材本体を形成することができる。また、棚材位置固定具も別部品になっているのでその分だけ棚材本体のコストが低減される。
【０００９】
請求項２の陳列棚材用周縁支持部材の掲示部材は、支柱に複数の棚材が固定された陳列棚材用周縁支持部材の陳列棚材用掲示部材であって、板体を屈曲し隅部が面取りされた略方形中空断面形状の筒状体に形成し、該筒状体の背面側を略中央から下方の面取部を含む部分を長手方向に開口し、該開口部の背面側開口端部を内側に曲折してした周縁支持部材と、先端面が該周縁支持部材の前面に接して折返される共に、前記周縁支持部材の前面から上面及び背面を覆って延伸させ、端部が該背面の開口端で掛止されている弾性部材と、該弾性部材が前記周縁支持部材に掛止状態にて長手方向に摺動可能に装着されているることを特徴とする。請求項２の発明によれば、掲示用部材を周縁支持部材の外周に対して弾性部材の弾性力にてワンタッチで着脱することができ、しかも装着した状態で長手方向に摺動自在であるので、棚材に対する掲示用部材の着脱及び位置の変更が容易になる。
【００１０】
請求項３の陳列棚材用周縁支持部材の掲示部材は、支柱に複数の棚材が固定された陳列棚材用周縁支持部材の陳列棚材用掲示部材であって、板体を屈曲し隅部が面取りされた略方形中空断面形状の筒状体に形成し、該筒状体の背面側を略中央から下方の面取部を含む部分を長手方向に開口し、該開口部の背面側開口端部を内側に曲折してした周縁支持部材と、前記周縁支持部材の前面から上面及び背面を覆って延伸させ、端部が該前面の溝と該背面の開口端で掛止されている装着部材と、該装着部材の上面から背面に断面コ字上に形成されている補強部材と、該補強部材の上面に支持棒を立設させ、該支持棒の上部に配設した衝立板とからなり、前記衝立板を立設した補強部材を前記装着部材を介して、前記周縁支持部材に装着したことを特徴とする。
【００１１】
請求項３の発明によれば、掲示用部材を周縁支持部材の上面に装着することができ、しかも衝立板が設けられているので、掲示作用が大きくなる。
【００１２】
【発明の実施の形態】
以下、本発明の実施の形態を図面に基づいて説明する。
【００１３】
【実施の形態１】
図１から図６は本発明の実施形態１に係り、図１は周縁支持部材の斜視図、図２は周縁支持部材と棚材本体の上面図、図３は周縁支持部材と棚材位置固定具との関係を示す側面図、図４は棚材位置固定具の上面図、図５は棚材位置固定具の側面図、図６は棚材位置固定具のテーパー状アリ部を示す側面図である。
【００１４】
本発明の陳列棚材用の周縁支持部材は、棚材の周囲を周縁支持部材にて形成し、周縁支持部材に囲まれた内側部分の棚材本体を周縁支持部材に接合することにより棚材を形成し、かつ周縁支持部材の端部それぞれに棚材位置固定具を接続するものである。
【００１５】
この周縁支持部材１は、図１に示すように、板状体を屈曲して４隅部に面取２，２，２が施された略方形中空断面形状の筒状体から成り、断面形状の背面３における略中央から下方を長手方向に削除して開口部４を形成し、背面３の開口端５を内側に曲折したものである。この周縁支持部材１に装着する棚材本体６は、下方に折り曲げて籠型６ａに形成したもののほか、上下両面使用可能の上面フラット又は上面外周こぼれ止め型６ｂの形態のものが使用される。
【００１６】
そしてこの周縁支持部材１は、図１及び図２に示すように、長手方向の開口部４に、籠型６ａ或いはフラット６ｂに形成されている棚材本体６の各上辺に形成された掛止片７を掛脱自在に掛止して、周縁支持部材１に棚材本体６の掛止片７を挿入して溶接などの接合手段で接合するものである。また、図２及び図３に示すように、周縁支持部材１の両端には棚材位置固定具８を接続するために、周縁支持部材１の端部の中空内に棚材位置固定具側の接続ボス９を挿入して固定することにより棚材位置固定具８を介して棚材を支柱に固定することができるものである。
【００１７】
なお、図１において、周縁支持部材１の前面における長手方向の２箇所に形成された断面Ｖ字形１０は断面形状の内側に突出させることにより、棚材本体６の掛止片７を当接させて固定する突起である。
【００１８】
また、前記棚材位置固定具８は、図４に示すように、支柱１１を中心に２つ割り内嵌部材１２を嵌合させ、同時に図５に示すように、２つ割り内嵌部材１２それぞれの内面に突出した掛止突起１３を支柱１１の掛止穴１４に掛止し、図６に示すように、この内嵌部材１２の外面に設けられたテーパー状のアリ部１５に対し、２つ割り外嵌部材１６の内側に設けられたテーパー状アリ溝１７を嵌合することによりテーパーの締め付け効果にて２つ割り内嵌部材１２を一体化すると同時に支柱１１を締め付けて棚材の位置を固定することができるように構成されたものである。
【００１９】
実施形態１によれば、周縁支持部材１を介して棚材本体６が保持され、周縁支持部材１で、籠型の棚材本体６が構成されている。また、棚材位置固定具９も別部品として棚材本体６と別々に作成し、網状或いは格子状に形成された棚材本体６だけを各種形状に形成すればよいことになり、棚材本体６を廉価に提供することが可能となる。これにより棚材を支柱１１に取り付ける際に、支柱１１上の所定の位置に周縁支持部材１を介して直接に着脱することが可能となる。
【００２０】
更に、周縁支持部材１が略方形中空断面形状を有することにより商品価額や広告物等の掲示用部材の装着が容易になる。
【００２１】
（実施形態２）
図７から図８は本発明の実施形態２に係り、図７は商品価額等の掲示用部材を示す斜視図、図８はシート状広告物の掲示用部材を示す斜視図である。実施態様１と同一部分は、同一符号を付けて、説明を省略する。
【００２２】
本実施の形態における掲示用部材は、前記実施の形態１における周縁支持部材１に対して、図７から図９に示すような商品価額や広告等を掲示するための掲示用部材１８から２０を装脱自在に構成したものである。
【００２３】
この掲示用部材１８から２０の周縁支持部材１に対する装着部２１は、周縁支持部材１の前面から上面及び背面に沿って背面３の開口端５に掛止し、かつ長手方向に摺動自在に、ステンレス鋼板等の弾性部材にて形成したものである。
【００２４】
図７に示す掲示用部材１８は、前記装着部２１に対してその前面を上方に曲折して袋体２２を形成し、その内部に商品価額等を表示するプライスカード等を挿着することができるようにしたものである。
【００２５】
図８に示す掲示用部材１９は、ＰＯＰカード等のパンチ穴を有するシート状広告物を取り付けるためのものであり、装着部２１の前面にパンチ穴を掛止する突起２３が複数、例えば２箇所に設けられたものである。パンチ穴付きりＰＯＰカードを下方から挿入して、パンチ穴で付き合わせて係止するものである。ＰＯＰカードは脱落したりすることがなく、見栄えが良い。
【００２６】
なお、前記実施形態における掲示用部材１８，１９，２０を形成する材料はステンレス材に限らず周縁支持部材１に対して弾性力にて確実に着脱し得る材料であればプラスチック等の材料を用いても良い。但しプラスチック材の場合は溶接ができないので強力な接着剤を用いるか、又はネジどめする等の考慮が必要がある。
【００２７】
実施の形態２によれば、略方形中空断面形状を有する周縁支持部材１の外形に対して弾性部材から成る掲示用部材１８，１９，２０を弾性力にて着脱することができるように構成したことにより、掲示用部材１８，１９，２０が１タッチで着脱可能、かつ長手方向に摺動自在になるので、棚材に対する掲示用部材１８，１９，２０の着脱及び位置の変更が容易である。
【００２８】
（実施形態３）
図９は本発明の実施形態３に係り、衝立型広告の掲示用部材を示す斜視図である。実施態様１及び２と同一部分は、同一符号を付けて、説明を省略する。
【００２９】
図９に示す掲示用部材２０は、衝立型広告を掲示するための衝立２４等を取り付けるためのものである。装着部２１の前面下端に曲折部２５を形成して周縁支持部材のＶ字形１０に掛止して外れ防止をし、装着部２１の上面には広告用衝立２４を取り付けるための強度部材２６が溶接にて固定され、強度部材２６に対して広告用の衝立２４の軸２７が溶接、又はネジ止めにて固定することができるように構成されている。
【００３０】
実施形態３によれば、衝立型広告を掲示するための衝立２４等を取り付けるためのものであるから、棚材６に対する掲示用部材の着脱及び位置の変更が容易である。
【００３１】
【発明の効果】
本発明によれば、略方形中空断面形状の筒状体から成る周縁支持部材を形成し、この周縁支持部材に対して棚材本体及び棚材位置固定具を着脱自在に構成したことにより、棚材本体を廉価に構成することが可能となり、かつ支柱の所定の位置に直接に棚材を着脱することが可能となる。これにより各種形状の棚材本体を設備する費用が低減される。
【００３２】
また周縁支持部材は略方形中空断面形状を有することにより、この外形に対して商品価格や広告物等の掲示用部材を着脱自在に、かつ長手方向に摺動自在に形成することが可能となり、掲示用部材の着脱及び位置の変更が容易になる。
【図面の簡単な説明】
【図１】本発明の実施の形態１に係る周縁支持部材の斜視図。
【図２】周縁支持部材と棚材本体の上面図。
【図３】周縁支持部材と棚材位置固定具との関係を示す側面図。
【図４】棚材位置固定具の上面図。
【図５】棚材位置固定具の側面図。
【図６】棚材位置固定具のテーパー状アリ部を示す側面図。
【図７】本発明の実施の形態２に係る商品価額等の掲示用部材を示す斜視図。
【図８】シート状広告物の掲示用部材を示す斜視図。
【図９】大型広告の掲示用部材を示す斜視図。
【図１０】従来の陳列用棚材の説明図。
【符号の説明】
１…周縁支持部材                  ２…面取
３…背面                          ４…開口部
５…開口端                        ６…棚材本体
７…掛止片                        ８…棚材位置固定具
９…接続ボス                    １０…Ｖ字形
１１…支柱                        １２…内嵌部材
１３…掛止突起                    １４…掛止穴
１５…テーパ状アリ部              １６…外嵌部材
１７…テーパ状アリ溝              １８，１９，２０…掲示用部材
２１…装着部                      ２２…袋体
２３…突起                        ２４…衝立
２５…曲折部                      ２６…強度部材
２７…軸                          ３０…棚材
【図１】
0003593118.tif 000002
【図２】
0003593118.tif 000003
【図３】
0003593118.tif 000004
【図４】
0003593118.tif 000005
【図５】
0003593118.tif 000006
【図６】
0003593118.tif 000007
【図７】
0003593118.tif 000008
【図８】
0003593118.tif 000009
【図９】
0003593118.tif 000010
【図１０】
0003593118.tif 000011